(57)【特許請求の範囲】
【請求項１】
電気部品および吸込口を有する吸込口本体と、この吸込口本体に選択的に着脱可能に装着される床面清掃用装着ユニットおよび寝具清掃用装着ユニットとを備え、
前記吸込口本体は、前記電気部品として少なくともモータを有すると共に、前記モータにて回転可能な駆動ギヤ部を有し、
前記床面清掃用装着ユニットは、床面清掃用筐体と、この床面清掃用筐体に離脱可能かつ回転可能に装着される回転ブラシと、前記モータからの駆動力を前記回転ブラシへ伝達可能なように前記床面清掃用筐体に離脱可能に装着される床面清掃用駆動力伝達機構とを備え、
前記寝具清掃用装着ユニットは、寝具清掃用筐体と、この寝具清掃用筐体に離脱可能かつ揺動可能に装着される叩き板と、前記モータからの駆動力を前記叩き板へ伝達可能なように前記寝具清掃用筐体に離脱可能に装着される寝具清掃用駆動力伝達機構とを備え、
前記床面清掃用駆動力伝達機構が、前記駆動ギヤ部と噛合可能なギヤ部と、前記駆動ギヤ部および前記ギヤ部を介して前記モータの駆動力を前記回転ブラシに伝達するプーリおよびベルトと、これらプーリおよびベルトを収納するケースとを備え、
前記寝具清掃用駆動力伝達機構が、前記駆動ギヤ部と噛合可能なギヤ部と、前記駆動ギヤ部および前記ギヤ部を介して前記モータの駆動力を前記叩き板に伝達するプーリおよびベルトと、これらプーリおよびベルトを収納するケースとを備え、
前記２つのケースが水抜き孔をそれぞれ有していることを特徴とする電気掃除機の吸込口体。
【請求項２】
前記床面清掃用装着ユニットおよび前記寝具清掃用装着ユニットは、前記吸込口本体が挿入される装着凹部と、複数のユニット側係止部とをそれぞれ有し、
前記吸込口本体は、前記複数のユニット側係止部と係止する複数の本体側係止部を有し、
前記装着凹部は、挿入された吸込口本体を左右方向の一側へスライド可能とされ、
前記床面清掃用装着ユニットまたは前記寝具清掃用装着ユニットの前記装着凹部に前記吸込口本体が挿入されて前記一側へスライドされた状態において、前記吸込口本体は前記床面清掃用装着ユニットまたは前記寝具清掃用装着ユニットと嵌合すると共に、前記複数の本体側係止部と前記複数のユニット側係止部とが互いに係止される請求項１または２に記載の電気掃除機の吸込口体。
【請求項３】
電気部品および吸込口を有する吸込口本体と、この吸込口本体に選択的に着脱可能に装着される床面清掃用装着ユニットおよび寝具清掃用装着ユニットとを備え、
前記吸込口本体は、前記電気部品として少なくともモータを有し、
前記床面清掃用装着ユニットは、床面清掃用筐体と、この床面清掃用筐体に離脱可能かつ回転可能に装着される回転ブラシと、前記モータからの駆動力を前記回転ブラシへ伝達する床面清掃用駆動力伝達機構とを備え、
前記寝具清掃用装着ユニットは、寝具清掃用筐体と、この寝具清掃用筐体に離脱可能かつ揺動可能に装着される叩き板と、前記モータからの駆動力を前記叩き板へ伝達する寝具清掃用駆動力伝達機構とを備え、
前記床面清掃用装着ユニットおよび前記寝具清掃用装着ユニットは、前記吸込口本体が挿入される装着凹部と、複数のユニット側係止部とをそれぞれ有し、
前記吸込口本体は、前記複数のユニット側係止部と係止する複数の本体側係止部を有し、
前記装着凹部は、挿入された吸込口本体を左右方向の一側へスライド可能とされ、
前記床面清掃用装着ユニットまたは前記寝具清掃用装着ユニットの前記装着凹部に前記吸込口本体が挿入されて前記一側へスライドされた状態において、前記吸込口本体は前記床面清掃用装着ユニットまたは前記寝具清掃用装着ユニットと嵌合すると共に、前記複数の本体側係止部と前記複数のユニット側係止部とが互いに係止されることを特徴とする電気掃除機の吸込口体。
【発明の詳細な説明】
【技術分野】
【０００１】
本発明は、電気掃除機のモータ駆動タイプの吸込口体に関する。
【背景技術】
【０００２】
電気掃除機の吸込口体として、例えば特許文献１には、フローリングや畳等の床面の清掃力を向上させるためにモータで回転駆動する回転ブラシを有する床面清掃用の吸込口体が提案されている。この吸込口体の場合、モータの回転力を回転ブラシに伝達するプーリおよびベルトを有する回転力伝達機構が回転ブラシと連結した状態で吸込口体の筐体内に設けられている。
【０００３】
また、別の吸込口体として、特許文献２には、布団や毛布等の寝具上で振動するビータを備える寝具清掃用の吸込口体が提案されている。この吸込口体は、一対のばねおよび振動子の３点でビータを支持し、回転するカムによって振動子を介してビータを上下に振動させるように構成されている。
【先行技術文献】
【特許文献】
【０００４】
【特許文献１】特開２０１２−２１７７９８号公報
【特許文献２】特許第４５１２６２４号公報
【発明の概要】
【発明が解決しようとする課題】
【０００５】
特許文献１の床面清掃用の吸込口体を清掃する場合、通常、ユーザーは、筐体の底部に開口する集塵開口部から外部に露出する回転ブラシを刷毛やブラシ等の清掃具を用いて清掃する。あるいは、筐体の下ケース部から上ケース部を取り外し、回転力伝達機構のベルトを回転ブラシの一端に一体化されたプーリから外すことにより、回転ブラシを下ケース部から取り外して清掃することも可能である。しかしながら、下ケース部にはモータや回路基板等の電気部品が固定されているため、下ケース部内を清掃具にて清掃することはできても水洗いすることはできない。
【０００６】
そのため、下ケース部内の隅部、電気部品と下ケース部との間の隙間等といった清掃具では届き難い箇所に入り込んだ塵埃、髪の毛や糸屑等の繊維状ゴミなどは除去されずに堆積する。また、吸込口体内に残留した塵埃や繊維状ゴミに紛れて存在するダニや雑菌等が繁殖し易い。よって、このような不衛生な状態の吸込口体を保管すると共に、使い続けなければならないという問題があった。
【０００７】
また、特許文献２の寝具清掃用の吸込口体を清掃する場合、ビータを取り外して清掃することはできるが、吸込口体内にはモータや回路基板等の電気部品が固定されているため、吸込口体内を水洗いすることはできない。したがって、床面清掃用の吸込口体と同様に、の寝具清掃用の吸込口体も不衛生な状態の吸込口体を保管すると共に、使い続けなければならないという問題があった。寝具清掃用の吸込口体の場合、人の肌に触れる寝具を清掃するものであるため、特にこの問題の解決が望まれている。
【０００８】
また、床面を清掃するときと寝具を清掃するときでは、衛生面、機能面等の観点から、被清掃面に応じた専用の吸込口体（床面清掃用吸込口体または寝具清掃用吸込口体）を使用しなければならない。そのため、被清掃面に応じた専用の各吸込口体にモータ、回路基板等の電気部品を設けなければならず、吸込口体の製造コストが高くなるという問題もある。
【０００９】
本発明は、このような課題に鑑みなされたものであり、機能が異なる装着ユニットを付け替えおよび水洗い可能であり、モータ駆動タイプでありながら低コストにて製造することができる電気掃除機の吸込口体を提供することを目的とする。
【課題を解決するための手段】
【００１０】
かくして、本発明によれば、電気部品および吸込口を有する吸込口本体と、この吸込口本体に選択的に着脱可能に装着される床面清掃用装着ユニットおよび寝具清掃用装着ユニットとを備え、
前記吸込口本体は、前記電気部品として少なくともモータを有すると共に、前記モータにて回転可能な駆動ギヤ部を有し、
前記床面清掃用装着ユニットは、床面清掃用筐体と、この床面清掃用筐体に離脱可能かつ回転可能に装着される回転ブラシと、前記モータからの駆動力を前記回転ブラシへ伝達可能なように前記床面清掃用筐体に離脱可能に装着される床面清掃用駆動力伝達機構とを備え、
前記寝具清掃用装着ユニットは、寝具清掃用筐体と、この寝具清掃用筐体に離脱可能かつ揺動可能に装着される叩き板と、前記モータからの駆動力を前記叩き板へ伝達可能なように前記寝具清掃用筐体に離脱可能に装着される寝具清掃用駆動力伝達機構とを備え、
前記床面清掃用駆動力伝達機構が、前記駆動ギヤ部と噛合可能なギヤ部と、前記駆動ギヤ部および前記ギヤ部を介して前記モータの駆動力を前記回転ブラシに伝達するプーリおよびベルトと、これらプーリおよびベルトを収納するケースとを備え、
前記寝具清掃用駆動力伝達機構が、前記駆動ギヤ部と噛合可能なギヤ部と、前記駆動ギヤ部および前記ギヤ部を介して前記モータの駆動力を前記叩き板に伝達するプーリおよびベルトと、これらプーリおよびベルトを収納するケースとを備え、
前記２つのケースが水抜き孔をそれぞれ有している電気掃除機の吸込口体が提供される。
また、本発明によれば、電気部品および吸込口を有する吸込口本体と、この吸込口本体に選択的に着脱可能に装着される床面清掃用装着ユニットおよび寝具清掃用装着ユニットとを備え、
前記吸込口本体は、前記電気部品として少なくともモータを有し、
前記床面清掃用装着ユニットは、床面清掃用筐体と、この床面清掃用筐体に離脱可能かつ回転可能に装着される回転ブラシと、前記モータからの駆動力を前記回転ブラシへ伝達する床面清掃用駆動力伝達機構とを備え、
前記寝具清掃用装着ユニットは、寝具清掃用筐体と、この寝具清掃用筐体に離脱可能かつ揺動可能に装着される叩き板と、前記モータからの駆動力を前記叩き板へ伝達する寝具清掃用駆動力伝達機構とを備え、
前記床面清掃用装着ユニットおよび前記寝具清掃用装着ユニットは、前記吸込口本体が挿入される装着凹部と、複数のユニット側係止部とをそれぞれ有し、
前記吸込口本体は、前記複数のユニット側係止部と係止する複数の本体側係止部を有し、
前記装着凹部は、挿入された吸込口本体を左右方向の一側へスライド可能とされ、
前記床面清掃用装着ユニットまたは前記寝具清掃用装着ユニットの前記装着凹部に前記吸込口本体が挿入されて前記一側へスライドされた状態において、前記吸込口本体は前記床面清掃用装着ユニットまたは前記寝具清掃用装着ユニットと嵌合すると共に、前記複数の本体側係止部と前記複数のユニット側係止部とが互いに係止される電気掃除機の吸込口体が提供される。
【発明の効果】
【００１１】
本発明の電気掃除機の吸込口体によれば、モータ、回路基板等の電気部品が備えられた吸込口本体と、吸込口本体に装着される装着ユニットとが分離可能である。そのため、回動清掃部材を有する汚れやすい装着ユニットを吸込口本体から取り外して水洗いすることができ、装着ユニットを衛生的な状態で保管することができる。
【００１２】
また、機能が異なる装着ユニットを吸込口本体に付け替えること、すなわち、床面清掃用装着ユニットと寝具清掃用装着ユニットを選択的に吸込口本体に装着することが可能となる。したがって、電気部品を備えた吸込口本体を床面清掃用装着ユニットと寝具清掃用装着ユニットといった複数の異なる機能を有する装着ユニットに共用することが可能となるため、モータ駆動タイプでありながら、複数の異なる機能を有する装着ユニットを付け替え可能な吸込口体を低コストにて製造することができる。
また、床面を清掃する際は吸込口本体に床面清掃用装着ユニットを装着し、布団や毛布等の寝具を清掃する際は吸込口本体に寝具清掃用装着ユニットを装着するというように、被清掃物に応じて最適な装着ユニットを選択して清掃することができる。
【図面の簡単な説明】
【００１３】
【図１】本発明の吸込口本体を備えた電気掃除機の実施形態１を示す斜視図である。
【図２】実施形態１の電気掃除機における吸込口体の平面図である。
【図３】実施形態１の吸込口体を底面側から視た斜視図である。
【図４】実施形態１の吸込口体の部分的な概略平断面図である。
【図５】（Ａ）は実施形態１の吸込口体の左右方向中央位置の断面図であり、（Ｂ）は左右方向一端側の断面図である。
【図６】（Ａ）は図２のＡ−Ａ線矢視断面図であり、（Ｂ）は図２のＢ−Ｂ線矢視断面図である。
【図７】実施形態１の吸込口体の分解図である。
【図８】実施形態１の吸込口体における駆動ギヤ部を示す斜視図である。
【図９】（Ａ）は図８の駆動ギヤ部の平面図であり、（Ｂ）は図９（Ａ）のＣ−Ｃ線矢視断面図である。
【図１０】（Ａ）は実施形態１における吸込口本体と装着ユニットが分離した状態、（Ｂ）は吸込口本体に装着ユニットを装着する状態を示す図である。
【図１１】実施形態１における装着ユニットを吸込口本体に装着する状態を示す部分断面図である。
【図１２】（Ａ）は実施形態１における吸込口体に装着された装着ユニットをロック部材にてロックする前の状態、（Ｂ）はロック後の状態を示す断面図である。
【図１３】本発明の吸込口本体を備えた吸込口体の実施形態２であって（Ａ）は平面図、（Ｂ）は側面図、（Ｃ）は底面図である。
【図１４】実施形態２の吸込口体の上ケースを外した状態の平面図である。
【図１５】実施形態２の吸込口体の駆動力伝達機構側の一部断面図である。
【図１６】実施形態２の吸込口体の分解図である。
【図１７】（Ａ）は実施形態２における装着ユニットを吸込口本体に装着する前の状態、（Ｂ）は装着後の状態を示す断面図である。
【図１８】実施形態２における装着ユニットを吸込口本体に装着する状態を示す部分断面図である。
【図１９】実施形態３における吸込口本と装着ユニットが分離した状態を示す説明図である。
【図２０】実施形態３における吸込口本に装着ユニットを装着した状態を示す説明図である。
【図２１】実施形態４における吸込口本と装着ユニットが分離した状態を示す斜視図である。
【発明を実施するための形態】
【００１４】
（実施形態１）
図１は本発明の回転体の保持構造を備えた電気掃除機の実施形態１を示す斜視図である。
この電気掃除機１は、集塵部および電動送風機等を有する掃除機本体２と、ホース３および延長パイプ４を介して掃除機本体２と接続された吸込口体５とを備える。なお、延長パイプ４のハンドル４ａには操作部４ｂが設けられている。
【００１５】
本発明の特徴は、吸込口体５にあり、その他の構成は特に限定されないため、主として吸込口体５について説明する。なお、本明細書において、「前後方向」は吸込口体５を進退させる方向を指し、「左右方向」は吸込口体５の正面に向かって左右の方向を指す。
【００１６】
＜吸込口体＞
図２は実施形態１の電気掃除機における吸込口体の平面図であり、図３は実施形態１の吸込口体を底面側から視た斜視図であり、図４は実施形態１の吸込口体の部分的な概略平断面図である。また、図５（Ａ）は実施形態１の吸込口体の左右方向中央位置の断面図であり、（Ｂ）は左右方向一端側の断面図である。また、図６（Ａ）は図２のＡ−Ａ線矢視断面図であり、（Ｂ）は図２のＢ−Ｂ線矢視断面図である。また、図７は実施形態１の吸込口体の分解図であり、図８は実施形態１の吸込口体における駆動ギヤ部を示す斜視図である。また、図９（Ａ）は図８の駆動ギヤ部の平面図であり、（Ｂ）は図９（Ａ）のＣ−Ｃ線矢視断面図である。
【００１７】
吸込口体５は、全体の形状がＴ形であり、床面に対向する集塵開口部５１ｘおよびバンパー５１ｙを有する装着ユニット５１と、装着ユニット５１と着脱可能に接続すると共に延長パイプ４と着脱可能に接続する吸込口本体５２とを有する。
【００１８】
［床面清掃用の装着ユニット］
実施形態１において、装着ユニット５１は床面清掃用であり、下ケース５１ａ1、上ケース５１ａ2および端部カバーとしてのロック部材５１ａ3を有してなる筐体５１ａと、筐体５１ａ内に設けられた回転ブラシユニット５１ｂとを備える。
【００１９】
下ケース５１ａ1は、前記集塵開口部５１ｘおよび吸込口本体５２に設けられた後述する吸込可能状態検知部５２ａ3を床面側に露出させる窓部５１ａ111が形成された底壁５１ａ11と、底壁５１ａ11の外周に沿って連設された周囲壁５１ａ12と、底壁５１ａ11の後端側に設けられたローラ５１ａ13とを有する。
【００２０】
また、下ケース５１ａ1における集塵開口部５１ｘを有する前方部と、窓部５１ａ111を有する後方部との間には、これらの領域を区画する区画壁５１ａ13が設けられている。これにより、下ケース５１ａ1における後方部には後述する吸込口本体５２の第１筐体部５２ａが装着される装着凹部５１ｚが形成される。なお、区画壁５１ａ13の左右方向の中間には切欠き５１ａ131が形成されている。
【００２１】
また、底壁５１ａ11および周囲壁５１ａ12における集塵開口部５１ｘの左右一端側には、回転ブラシユニット５１ｂを保持するようリブや段部にて形成された軸受保持部５１Ａが設けられている。
また、周囲壁５１ａ12および区画壁５１ａ13には、後述する吸込口本体５２に設けられた係止溝部５２ａ5に係止する係止凸部５１ａ131が設けられている。
【００２２】
ロック部材５１ａ3は、吸込口本体５２に装着された装着ユニット５２をロックするものである。さらに、ロック部材５１ａ3は、吸込口本体５１に設けられて装着ユニット５２を吸込口本体５１に固定した状態を検知する後述するロック検知部５２ａｘに当接することにより、ロック検知部５２ａｘから固定信号を送出させる機能を有するが、これについて詳しくは後述する。
【００２３】
［回転ブラシユニット］
図７に示すように、回転ブラシユニット５１ｂは、回転ブラシ部５１ｂ1と、回転力伝達機構部５１ｂ2とを有してなる。
【００２４】
回転ブラシ部５１ｂ1は、図示しない複数のブラシ部が外周面に設けられた軸部５１ｂ11と、軸部５１ｂ11の一端に回転可能に設けられた軸受部５１Ｂとを備え、軸部５１ｂ11の他端は回転力伝達機構部５１ｂ2と連結されている。
【００２５】
図５と図６に示すように、回転力伝達機構部５１ｂ2は、ケース５１ｂ21内に回転可能に設けられた一対の平行な金属軸５１ｂ22、５１ｂ23に固着された大小のギヤ形プーリ５１ｂ25、５１ｂ26と、これらのプーリ５１ｂ25、５１ｂ26に巻き掛けられたベルト５１ｂ27と、小さいプーリ５１ｂ26と側の金属軸５１ｂ23に固着された後述する吸込口本体５２の駆動ギヤ部５２ａ2（図８、図９参照）と噛合可能なギヤ部５１ｂ28とを備える。なお、ケース部５１ｂ21には水抜き孔５１ｂ221が形成されている。
【００２６】
このように構成された回転ブラシユニット５１ｂによれば、吸込口本体５２の駆動ギヤ部５２ａ2からの回転力がギヤ部５１ｂ28に伝達されて回転すると、その回転力がベルト５１ｂ27を介して回転ブラシ部５１ｂ1に伝達され、それによって回転ブラシ部５１ｂ1の軸部５１ｂ11が回転する。
【００２７】
［吸込口本体］
図２〜９に示すように、吸込口本体５２は、全体の形状がＴ形であり、装着ユニット５１と着脱可能な第１筐体部５２ａと、第１筐体部５２ａの左右長手方向の中間部の後端側に前後軸心廻りに回動可能に接続された接続部５２ｂと、接続部５２ｂに対して揺動可能に接続された第２筐体部５２ｃとを備える。
【００２８】
第１筐体部５２ａは、左右長手方向の中間部の前端側に開口する吸引口５２ａ1が形成されている。そして、この吸引口５２ａ1の周囲部にはパッキン５２ａ11が設けられると共に、パッキン５２ａ11の表面に摩擦低減膜が積層されている。この摩擦低減膜としては、例えば、ＰＥＴ（ポリエチレンテレフタレート）といった樹脂のフィルム、フッ素樹脂といった摩擦低減樹脂の塗膜等が用いられる。なお、第２筐体部５２ｃの内部は吸込口５２ａ1と連通する通風路となっている。また、吸引口５２ａ1は、清掃面に対して略垂直になっている。これにより、第１筐体部５２ａの吸引口５２ａ1と接続される装着ユニット側の開口部と接続される通風路の投影面積が少なくなることから第１筐体部５２ａのコンパクト化が図れる。
【００２９】
吸込口本体５２に装着ユニット５１を装着する際、吸込口本体５２のパッキン５２ａ11が装着ユニット５１の区画壁５１ａ13に摺接する。このとき、区画壁５１ａ13や切欠き５１ａ131の角部等に擦れたパッキン５２ａ11が剥がれたり傷が付くと、清掃時において、吸込口本体５２と装着ユニット５１の間の隙間付近の空気がパッキン５２ａ11の損傷箇所から吸引口５２ａ1に流入するおそれがあり、そうすると集塵開口部５１ｘから空気を吸引する吸引力が低下する。したがって、パッキン５２ａ11の損傷を抑制することによって不必要な箇所からの空気流入を抑制するために、パッキン５２ａ11の表面に摩擦低減膜が積層されている。
【００３０】
また、第１筐体部５２ａの右側部分には、回転ブラシユニット５１ｂのギヤ部５１ｂ23と噛合可能な駆動ギヤ部５２ａ2を回転させるモータＭ（図６参照）が内蔵されている。図８、図９（Ａ）および（Ｂ）に示すように、駆動ギヤ部５２ａ2は、冠歯車のように軸心方向に突出する複数の歯５２ａ21を有している。この歯５２ａ21は山形に形成されており、その山形における周方向の一面は軸心に対してほぼ平行な回転力伝達面５２ａ211であり、山形における周方向の他面は軸心に対して傾いた摺接面２ａ212となっている。また、駆動ギヤ部５２ａ2の軸心位置には筒部５２ａ22が設けられている。
【００３１】
一方、前述の回転力伝達機構部５１ｂ2のギヤ部５１ｂ28（図７参照）は、駆動ギヤ部５２ａ2の各歯５２ａ21と噛合する冠歯車タイプの複数の歯を有すると共に、駆動ギヤ部５２ａ2の筒部５２ａ22が嵌り込む凹部を軸心位置に有している。また、回転力伝達機構部５１ｂ2のギヤ部５１ｂ28の各歯は、駆動ギヤ部５２ａ2の各歯５２ａ21の回転力伝達面５２ａ211と接触する回転力被伝達面と、駆動ギヤ部５２ａ2の各歯５２ａ21の摺接面５２ａ212と摺接する被摺接面を有している。すなわち、回転力伝達機構部５１ｂ2のギヤ部５１ｂ28は、駆動ギヤ部５２ａ2から筒部５２ａ22を取り除いたものである。
【００３２】
また、第１筐体部５２ａの左側部分には、第１筐体部５２ａの底壁に形成した貫通孔を通って上下方向へ揺動可能に設けられた車輪５２ａ32を有する吸込可能状態検知部５２ａ3が設けられている。
【００３３】
吸込口体５が床面上に載置されると、吸込可能状態検知部５２ａ3の車輪５２ａ32が吸込口体５の内部側へ揺動して引っ込む。これにより、吸込可能状態検知部５２ａ3のスイッチがＯＮとなって検知信号を出力する。また、吸込口体５が床面から浮き上がると車輪５２ａ32が外部へ突出する。これにより、吸込可能状態検知部５２ａ3のスイッチがＯＦＦとなって検知信号の出力を停止する。なお、この検知信号は、例えば、掃除機本体２内に設けられた制御部（例えば、マイコン）に入力され、その検知信号に基づいて制御部はモータＭの駆動を制御する。
【００３４】
また、第１筐体部５２ａの左側部分であって吸込可能状態検知部５２ａ3の上方には、前記ロック部材５１ａ3にて装着ユニット５１を吸込口本体５２に固定した状態を検知するロック検知部５２ａｘ（図１２参照）が設けられている。ロック検知部５２ａｘについて詳しくは後述する。なお、モータＭまたはロック検知部５２ａｘを制御する回路基板５２ａｐ（図４、図１４参照）がロック検知部５２ａｘの下方に設けられている。
【００３５】
図４に示すように、一方向に長い第１筐体部５２ａは、その一端側にモータＭを収納するモータ収納室５２ｍと、外部の空気をモータ収納室５２ｍに吸気可能な吸気孔５２ｍ1と、モータ収納室５２ｍ内を通過した空気を吸込口５２ａ1側へ排気可能な排気孔５２ｍ2と有している。
【００３６】
具体的には、第１筐体部５２ａの右側部分にモータ収納室５２ｍが設けられ、モータＭはその出力軸Ｍｓの先端が第１筐体部５２ａの右側壁５２ｒｗを貫通するようにモータ収納室５２ｍに収納されている。なお、モータ収納室５２ｍにはモータＭを所定位置に位置決めする複数のリブが設けられている。
【００３７】
吸気孔５２ｍ1は、モータ収納室５２ｍを構成する後壁５２ｂｗにおける右側壁５２ｒｗ寄りに形成されている。また、排気孔５２ｍ2は、モータ収納室５２ｍと吸込口５２ａ１との間の壁部５２ｘｗに形成されている。よって、モータＭの出力軸Ｍｓの先端は吸気孔５２ｍ1側に配置され、モータＭの出力軸Ｍｓの基端は排気孔５２ｍ2側に配置される。
【００３８】
これにより、図４に示すように、電気掃除機１が駆動して吸込口５２ａ1内に空気が矢印Ａ方向に引き込まれると、モータ収納室５２ｍ内の空気が排気孔５２ｍ2から出て吸込口５２ａ1内へ引き込まれる。すると、モータ収納室５２ｍ内が負圧となり、外部の空気が吸気孔５２ｍ1を通ってモータ収納室５２ｍ内に流入する。モータ収納室５２ｍ内に空気が流入することにより、モータＭの内部および外部を空気が矢印Ｂ方向に通過するため、この気流によってモータＭが冷却される。
【００３９】
なお、図４に示すように、吸込可能状態検知部５２ａ3およびロック検知部５２ａｘが収納された第１筐体部５２ａの左側部分にも吸気孔５２ｍ1および排気孔５２ｍ2が設けられており、モータＭの冷却と同様に空気流によって回路基板５２ａｐが冷却される。
【００４０】
接続部５２ｂは、第１筐体部５２ａの左右長手方向の中間部の後端側に設けられた筒形部５２ａ4の内部に気密かつ回動可能に嵌め込まれる前接続部５２ｂ1と、凹曲面状の内面を有する前接続部５２ｂ1と連設された後接続部５２ｂ2とを有する。また、後接続部５２ｂ2の上部には切欠き５２ｂ21が形成されている。
【００４１】
第３筐体部５２ｃは、接続部５２ｂの後接続部５２ｂ2内に気密かつ揺動可能に嵌め込まれる前接続部５２ｃ1と、延長パイプ４と着脱可能に接続される後接続部５２ｃ2とを有する。後接続部５２ｃ2は、延長パイプ４の接続端子と電気的に接続可能な複数の接続端子５２ｃ21が設けられている。この接続端子５２ｃ21は、吸込可能状態検知部５２ａ3の検知信号を前記制御部に送出する信号送出部として機能すると共に、後述するロック検知部５２ａｘのロック検知信号を前記制御部に送出する信号送出部として機能する。
【００４２】
［床面清掃用の装着ユニットの吸込口本体への装着］
図１０（Ａ）は実施形態１における吸込口本体と装着ユニットが分離した状態、（Ｂ）は吸込口本体に装着ユニットを装着する状態を示す図である。
また、図１１は実施形態１における装着ユニットを吸込口本体に装着する状態を示す部分断面図である。また、図１２（Ａ）は実施形態１における吸込口体に装着された装着ユニットをロック部材にてロックする前の状態、（Ｂ）はロック後の状態を示す断面図である。
【００４３】
吸込口本体５２に装着ユニット５１を装着する際は、図１０（Ａ）に示すように、装着ユニット５１の装着凹部５１ｚの上方に吸込口本体５２を移動させ、図１０（Ｂ）に示すように、吸込口本体５２の第１筐体部５２ａ1を装着ユニット５１の装着凹部５１ｚに挿入する。そして、図１１に示すように、吸込口本体５２を右方向へスライド移動させることにより、吸込口本体５２の駆動ギヤ部５２ａ2が回転ブラシユニット５１ｂのギヤ部５１ｂ26と噛合する。このとき、吸込可能状態検知部５２ａ3の車輪５２ａ32が、装着ユニット５１の前記窓部５１ａ111から下方外部へ突出する。
【００４４】
また、下ケース５１ａ1の複数の係止凸部５１ａ131が吸込口本体５２の複数の係止溝部５２ａ5に係止する。なお、図６（Ａ）と（Ｂ）に示すように、各係止溝部５２ａ5は横倒Ｌ形に形成されており、各係止溝部５２ａ5に嵌り込んだ各係止凸部５１ａ131が縦（上下）方向にスライドした後に横（左右）方向にスライドできる。
【００４５】
また、吸込口本体５２を装着ユニット５１に対して限界まで横方向にスライドすることにより、「カチッ」という係止音が発せられるように構成されている。この係止音は、図１１に示すように、吸込口本体５２の第１筐体部５２ａ1の底部から外部下方に突出・引っ込み可能に設けられた凸部５２ａ12が、装着ユニット５１の装着凹部５１ｚに設けられた係合凹部５１ｚ1に係止することにより発せられる。この係止音により、ユーザーは、装着ユニット５１を吸込口本体５２に確実に装着できたことを認識することができる。
【００４６】
この場合、例えば、凸部５２ａ12は下方の先端に丸みを有する弾丸形に形成され、図示しない弾発部材にて下方へ弾発的に付勢される。また、係合凹部５１ｚ1は、装着凹部５１ｚの底面に形成された突起部５１ｚ2の丸みを有する頂部に形成された凹みとすることができる。このようにすれば、凸部５２ａ12が突起部５１ｚ2の丸み部分を乗り越えて係合凹部５１ｚ1に係止することができ、かつ係止の際に前記係止音が発せられやすくなる。
【００４７】
吸込口本体５２を装着ユニット５１に対して限界まで横方向にスライドして装着した後、装着ユニット５１の装着凹部５１ｚにおける吸込口本体５２の第１筐体部５２ａ1の左側のスペースにロック部材５１ａ3を嵌め込む。これにより、吸込口本体５２に装着された装着ユニット５１が固定される。
【００４８】
このとき、図１２（Ａ）と（Ｂ）に示すように、吸込口本体５２の第１筐体部５２ａ1の左側部分に設けられた前記ロック検知部５２ａｘに対してロック部材５１ａ3が作用する、例えば、ロック部材５１ａ3がロック検知部５２ａｘのスイッチ部をＯＮすることによって、ロック検知部５２ａｘがロック検知信号を出力する。また、ロック部材５１ａ3を取り外すことにより、ロック検知部５２ａｘのスイッチ部がＯＦＦとなって、ロック検知部５２ａｘからのロック検知信号の出力が停止する。
【００４９】
このロック検知信号は、例えば、掃除機本体２内に設けられた制御部に入力され、そのロック検知信号に基づいて制御部はモータＭの駆動を制御する。つまり、吸込口本体５２に装着ユニット５１が適切に装着され固定されると、ロック検知信号が制御部に入力される。
【００５０】
吸込口本体５２に床面清掃用の装着ユニット５１が装着されてなる吸込口体５を備えた電気掃除機１によれば、前記のように吸込口体５を床面上に載置することによって吸込可能状態検知部５２ａ3の車輪５２ａ32が上がって吸込可能状態検知信号が出力され、その吸込可能状態検知信が制御部に入力される。
【００５１】
ロック検知信号と吸込可能状態検知信号の両方が制御部に入力されることによって、吸込口体５のモータＭは駆動可能状態となる。よって、ハンドル４ａの操作部４ｂを操作して運転モードにすると、掃除機本体２内の電動送風機が駆動すると共に、回転ブラシ部５１ｂ1が回転して床面清掃を行うことができる。
【００５２】
実施形態１の吸込口体５によれば、吸込口本体５２に装着ユニット５１が不適切に装着された状態のままモータＭが駆動して回転ブラシ部５１ｂ1が回転し、それによってモータＭ、駆動ギヤ部５２ａ2、ギヤ部５１ｂ28等の部品が損傷するという不具合を防止できると共に、吸込口体５が床面上に載置されてから回転ブラシ部５１ｂ1が回転するという安全性に配慮することができる。
【００５３】
吸込口本体５２を装着ユニット５１に対して限界まで横方向にスライドして装着することにより、駆動ギヤ部５２ａ2の各歯５２ａ21が、回転力伝達機構部５１ｂ2のギヤ部５１ｂ28の各歯の間に嵌り込む。この際、駆動ギヤ部５２ａ2の各歯５２ａ21はその摺接面２ａ212がギヤ部５１ｂ28の各歯の被摺接面に摺接しながら噛合することができるため、駆動ギヤ部５２ａ2の各歯５２ａ21とギヤ部５１ｂ28の各歯が衝突しても各ギヤは回転して位置調整しながら噛合することができる。また、駆動ギヤ部５２ａ2の各歯５２ａ21の摺接面５２ａ212とギヤ部５１ｂ28の各歯の被摺接面はギヤ回転方向に対して垂直な面であるため、駆動ギヤ部５２ａ2の回転力をギヤ部５１ｂ28に効率よく伝達することができる。
【００５４】
なお、吸込口本体５２と装着ユニット５１の分離は、装着の手順と逆に行えばよい。また、モータＭや吸込状態検知部５２ａ3、ロック検知部５２ａｘ等の電気部品は吸込口本体５２内に収められ、装着ユニット５１内に電気部品は全く収められていないため、図７のように装着ユニット５１を分解して各部品を水洗いすることができる。
【００５５】
（実施形態２）
図１３は本発明の吸込口本体を備えた吸込口体の実施形態２であって（Ａ）は平面図、（Ｂ）は側面図、（Ｃ）は底面図である。また、図１４は実施形態２の吸込口体の上ケースを外した状態の平面図であり、図１５は実施形態２の吸込口体の駆動力伝達機構側の一部断面図であり、図１６は実施形態２の吸込口体の分解図である。
【００５６】
実施形態２では、実施形態１で説明した吸込口本体５２に、寝具清掃用の装着ユニット１０５１を装着した吸込口体１００５を説明する。つまり、この吸込口体１００５は、叩き板によって布団や毛布等の寝具に付着した塵埃、髪の毛や糸屑等の繊維状ゴミ、綿ゴミ等を叩き出して吸い取る寝具清掃用の吸込口体である。
【００５７】
［寝具清掃用の装着ユニット］
寝具清掃用の装着ユニット１０５１は、下ケース１０５１ａ1、上ケース１０５１ａ2およびロック部材１０５１ａ3を有してなる筐体１０５１ａと、筐体１０５１ａ内に設けられた叩き板１０５１ｂと、叩き板１０５１ｂを揺動させる駆動力伝達機構１０５１ｃとを備える。
【００５８】
下ケース１０５１ａ1は、底壁１０５１ａ11と、底壁１０５１ａ11の外周に沿って連設された周囲壁１０５１ａ12とを有する。
下ケース１０５１ａ1における集塵開口部１０５１ｘを有する前方部と、集塵開口部１０５１ｘよりも後方の後方部との間には、これらの領域を区画する区画壁１０５１ａ13が設けられている。これにより、下ケース１０５１ａ1における後方部には吸込口本体５２の第１筐体部５２ａが装着される装着凹部１０５１ｚが形成される。なお、装着凹部１０５１ｚの底壁１０５１ａ11には、実施形態１の装着ユニット５１が有する窓部５１ａ111に相当する開口部は形成されていない。
【００５９】
底壁１０５１ａ11および周囲壁１０５１ａ12には、叩き板１０５１ｂおよび駆動力伝達機構１０５１ｃを保持する複数のリブおよび段部が形成されており、集塵開口部１０５１ｘの左右両側のリブおよび段部は、実施形態２の叩き板１０５１ｂを支持する軸受保持部１０５１Ａとしての役割を担っている。
【００６０】
また、底壁１０５１ａ11の下面における集塵開口部１０５１ｘの周囲には、前後方向に延びる複数のリブ１０５１ａ111が設けられている。これらのリブ１０５１ａ111は、吸込口体１００５の下面を寝具に押し付けたときに寝具と下面との間に隙間を形成し、集塵開口部１０５１ｘが寝具に吸い付くことを抑制する。
【００６１】
［叩き板］
叩き板１０５１ｂは、軸部１０５１ｂ1と、軸部１０５１ｂ1の両端に回転自在に設けられた実施形態１と同様の軸受部５１Ｂと、軸部１０５１ｂ1から径方向外方へ突出する叩き板部１０５１ｂ2、摘み片１０５１ｂ3、弾発部材当接片１０５１ｂ4およびカム当接片１０５１ｂ5とを有する。
【００６２】
［駆動力伝達機構］
駆動力伝達機構１０５１ｃは、吸込口本体５２の駆動ギヤ部５２ａ2と噛合可能なギヤ部１０５１ｃ1と、叩き板１０５１ｂのカム当接片１０５１ｂ5と当接可能なカム部１０５１ｃ2と、ケース部とを備える。なお、ケース部には水抜き孔１０５１ｃ221が形成されている。
【００６３】
ケース部には、相互に平行に固着された３本の金属軸１０５１ｃ5、１０５１ｃ6、１０５１ｃ7と、ギヤ形の第１〜４プーリ１０５１ｃ8、１０５１ｃ9、１０５１ｃ10、１０５１ｃ11および一対のベルト１０５１ｃ12、１０５１ｃ13が収納されている。
【００６４】
ギヤ部１０５１ｃ1は、そのボス部が金属軸１０５１ｃ5に一体回転可能に取り付けられている。また、金属軸１０５１ｃ5には小さい第１プーリ１０５１ｃ8が固着されている。
【００６５】
カム部１０５１ｃ2は筒状の軸部を有し、その軸部の一端が金属軸１０５１ｃ7に一体回転可能に取り付けられると共に、金属軸１０５１ｃ7に大きい第４プーリ１０５１ｃ11が固着されている。また、カム部１０５１ｃ2の軸部の他端にも金属軸が固着されており、この金属軸に軸受を介して実施形態１と同様の軸受部５１Ｂが取り付けられている。
【００６６】
また、中間の金属軸１０５１ｃ6には大きい第２プーリ１０５１ｃ9および小さい第３プーリ１０５１ｃ10が固着されている。そして、第１と第２プーリ１０５１ｃ8、１０５１ｃ9がベルト１９５１ｃ12にて張架され、第３と第４プーリ１０５１ｃ10、１０５１ｃ11が別のベルト１９５１ｃ13にて張架されている。
【００６７】
このように構成された駆動力伝達機構１０５１ｃによれば、吸込口本体５２のモータＭからの回転力がギヤ部１０５１ｃ1に伝達されて回転すると、その回転力が第１プーリ１０５１ｃ8、ベルト１０５１ｃ12、第２プーリ１０５１ｃ9、第３プーリ１０５１ｃ10、ベルト１０５１ｃ13および第４プーリ１０５１ｃ11を介してカム部１０５１ｃ2に伝達され、それによってカム部１０５１ｃ2が回転する。このとき、第１プーリ１０５１ｃ8の回転速度は、例えば、６〜１２％程度に減速されてカム部１０５１ｃ2に伝達される。
【００６８】
［叩き板の動作］
駆動力伝達機構１０５１ｃのカム部１０５１ｃ2が回転することによって、叩き板１０５１ｂにおいては、カム当接片１０５１ｂ5が下方に押され、それによって軸部１０５１ｂ1が回動して叩き板部１０５１ｂ2が上方へ揺動する。そして、カム当接片１０５１ｂ5がカム部１０５１ｃ2を乗り越えると、弾発部材１０５１ｃ8によって付勢された弾発部材当接片１０５１ｃ4が軸部１０５１ｂ1を反対方向へ回動させ、それによって叩き板部１０５１ｂ2が下方へ揺動する。この動作を繰り返すことで叩き板部１０５１ｂ2が、例えば、１分間に６００〜１２００ストローク程度の割合で揺動（振動）する。このように、叩き板１０５１ｂは上方と下方へ所定角度範囲で往復揺動する。
【００６９】
［寝具清掃用の装着ユニットの吸込口本体への装着］
【００７０】
図１７（Ａ）は実施形態２における装着ユニットを吸込口本体に装着する前の状態、（Ｂ）は装着後の状態を示す断面図であり、図１８は実施形態２における装着ユニットを吸込口本体に装着する状態を示す部分断面図である。
【００７１】
吸込口本体５２に装着ユニット１０５１を装着する際は、実施形態１の場合と同様である。すなわち、装着ユニット１０５１の装着凹部１０５１ｚの上方に吸込口本体５２を移動させ、吸込口本体５２の第１筐体部５２ａ1を装着ユニット１０５１の装着凹部１０５１ｚに挿入する。そして、吸込口本体５２を右方向へスライド移動させることにより、吸込口本体５２の駆動ギヤ部５２ａ2が駆動力伝達機構１０５１ｃのギヤ部１０５１ｃ1と噛合する。
【００７２】
このとき、図１７と図１８に示すように、吸込可能状態検知部５２ａ3の車輪５２ａ32は、装着ユニット１０５１の装着凹部１０５１ｚの底壁１０５１ａ11上に乗る。よって、車輪５２ａ32は上がった状態であるため、吸込可能状態検知部５２ａ3から制御部に向かって吸込可能状態検知信号が出力される。
【００７３】
なお、仮に、実施形態１のように車輪５２ａ32が装着ユニット１０５１の下方外部に突出していたとすると、吸込口体１００５を布団上に載置したときに吸込可能状態検知部５２ａ3の車輪５２ａ32が布団に埋没するおそれがある。そうすると、車輪５２ａ32が上昇せず、吸込可能状態検知部５２ａ3が布団を検知しないため、吸込可能状態検知部５２ａ3から制御部に向かって吸込可能状態検知信号が出力されなくなる。その場合、モータＭが駆動しないため叩き板１０５１ｂ1が揺動しないという不具合が生じるおそれがある。
【００７４】
また、実施形態１と同様に、下ケース１０５１ａ1の複数の係止凸部１０５１ａ131が吸込口本体５２の複数の係止溝部５２ａ5に係止する。また、吸込口本体５２を装着ユニット５１に対して限界まで横方向にスライドすることにより、「カチッ」という係止音が発せられる。すなわち、寝具清掃用の装着ユニット１０５１にも、実施形態１と同様に、係合凹部１０５１ｚ1が設けられている。
【００７５】
吸込口本体５２を装着ユニット１０５１に対して限界まで横方向にスライドして装着した後、実施形態１と同様に、装着ユニット１０５１の装着凹部１０５１ｚにおける吸込口本体５２の第１筐体部５２ａ1の左側のスペースにロック部材１０５１ａ3を嵌め込む。これにより、吸込口本体５２に装着された装着ユニット１０５１が固定される（図１２参照）。
【００７６】
このときも、実施形態１と同様に、吸込口本体５２のロック検知部５２ａｘに対してロック部材１０５１ａ3がロック検知部５２ａｘのスイッチ部をＯＮすることによって、ロック検知部５２ａｘがロック検知信号を出力する。また、ロック部材１０５１ａ3を取り外すことにより、ロック検知部５２ａｘのスイッチ部がＯＦＦとなって、ロック検知部５２ａｘからのロック検知信号の出力が停止する。
【００７７】
そして、このロック検知信号は、例えば、掃除機本体２内に設けられた制御部に入力され、そのロック検知信号に基づいて制御部はモータＭの駆動を制御する。つまり、吸込口本体５２に装着ユニット１０５１が適切に装着され固定されると、ロック検知信号が制御部に入力される。
【００７８】
このように、吸込口本体５２に寝具清掃用の装着ユニット１０５１が装着されてなる吸込口体１００５を備えた電気掃除機によれば、吸込口本体５２に装着ユニット１０５１が適切に装着され固定されると、吸込可能状態検知信号およびロック検知信号が制御部に入力される。
【００７９】
ロック検知信号と吸込可能状態検知信号の両方が制御部に入力されることによって、吸込口体５のモータＭは駆動可能状態となる。よって、ハンドル４ａの操作部４ｂを操作して運転モードにすると、掃除機本体２内の電動送風機が駆動して吸込口体１００５による吸引が開始し、かつ叩き板１０５１ｂ1が揺動して寝具清掃を行うことができる。
【００８０】
実施形態２の吸込口体１００５によれば、吸込口本体５２に装着ユニット１０５１が不適切に装着された状態のままモータＭが駆動して叩き板１０５１ｂ1が揺動し、それによってモータＭ、駆動ギヤ部５２ａ2、ギヤ部１０５１ｃ1等の部品が損傷するという不具合を防止できると共に、吸込可能状態検知部５２ａ3が装着ユニット１０５１を検知して確実に叩き板１０５１ｂ1を揺動させることができる。
【００８１】
このとき、実施形態１と同様に、吸込口本体５２の吸込口５２ａ1に流入する空気の流れによって、第１筐体部５２ａ内に収納されたモータＭ、吸込可能状態検知部５２ａ3、ロック検出部５２ａｘ等の電気部品が冷却される（図４参照）。
【００８２】
なお、吸込口本体５２と装着ユニット１０５１の分離は、装着の手順と逆に行えばよい。また、モータＭや吸込状態検知部５２ａ3、ロック検知部５２ａｘ等の電気部品は吸込口本体５２内に収められ、装着ユニット１０５１内に電気部品は全く収められていないため、図１６のように装着ユニット１０５１を分解して各部品を水洗いすることができる。
【００８３】
（実施形態３：参考例１）
図１９は実施形態３における吸込口本と装着ユニットが分離した状態を示す説明図であり、図２０は実施形態３における吸込口本に装着ユニットを装着した状態を示す説明図である。
実施形態２の吸込口体２００５は、吸込口２０５２ａ1を有する吸込口本体２０５２と、この吸込口本体２０５２に装着される床面清掃用の装着ユニット２０５１とを備えるが、実施形態１の吸込口体５とは構造が異なっている。
【００８４】
＜装着ユニット＞
装着ユニット２０５１は、筐体２０５１ａと、集塵開口部２０５１ｘを覆うように筐体２０５１ａに設けられた回転ブラシユニット２０５１ｂとを備える。
【００８５】
筐体２０５１ａは、底部に集塵開口部２０５１ｘを有すると共に、上部に装着ユニット２０５１を嵌め入れることができるようにする切欠き部２０５１ｙを有する。また、筐体２０５１ａの集塵開口部２０５１ｘよりも後方に突起部２０５１ａｚが設けられると共に、突起部２０５１ａｚに後方に開口する係止凹部２０５１ａｚ1が形成されている。
【００８６】
回転ブラシユニット２０５１ｂは、略半円筒形のカバー部材２０５１ｂ1と、カバー部材２０５１ｂ1の両端の左右側壁に回転可能に取り付けられた回転ブラシ部２０５１ｂ2と、回転ブラシ部２０５１ｂ2の長手方向中間位置よりも少し一端側にずれた位置に一体回転可能に設けられた回転ブラシギヤ２０５１ｂ3とを有する。なお、回転ブラシ部２０５１ｂ2は、実施形態１の回転ブラシ部５１ｂ1（図７参照）のブラシの構造と同様に構成されている。
【００８７】
カバー部材２０５１ｂ1は、回転ブラシギヤ２０５１ｂ3の位置にスリット２０５１ｂ11が形成されていると共に、装着ユニット２０５１を装着した吸込口本体２０５２の吸込口２０５２ａ1に臨むように切欠き２０５１ｂ12が形成されている。これにより、回転ブラシギヤ２０５１ｂ3は、カバー部材２０５１ｂ1のスリット２０５１ｂ11および筐体２０５１ａの切欠き部２０５１ｙを通して外部上方に露出する。
【００８８】
＜吸込口本体＞
吸込口本体２０５２は、吸込口２０５２ａ1を有する棒状の筐体２０５２ａと、モータＭと、モータＭの駆動力を回転ブラシギヤ２０５１ｂ3に伝達する駆動力伝達機構２０５２ｂとを備える。
【００８９】
筐体２０５２ａは、吸込口２０５２ａ1を前面に有する後部筐体２０５２ａ11と、後部筐体２０５２ａ11の前面に庇状に設けられてモータＭおよび駆動力伝達機構２０５２ｂを収納する前部筐体２０５２ａ12とを有する。なお、後部筐体２０５２ａ11の前面における吸込口２０５２ａ1の下方には、装着ユニット２０５１の前記係止凹部２０５１ａｚ1に係止可能な係止凸部２０５２ａ111が設けられている。
【００９０】
前部筐体２０５２ａ12は、モータ収納室２０５２ｍ1と、駆動力伝達機構収納室２０５２ｍ2とを有し、これらは窓部２０５２ｍ3によって連通している。しかしながら、モータ収納室２０５２ｍ1に収納されたモータＭによって窓部２０５２ｍ3は塞がれている。このとき、駆動力伝達機構収納室２０５２ｍ2にモータＭの出力軸Ｍｓが突出し、出力軸Ｍｓの先端に小ギヤ２０５２ｂ1が固着されている。また、駆動力伝達機構収納室２０５２ｍ2の側壁には、小ギヤ２０５２ｂ1と噛合する大ギヤ２０５２ｂ2が回転可能に枢着されている。なお、大ギヤ２０５２ｂ2は、駆動力伝達機構収納室２０５２ｍ2の底壁に形成されたスリットを通して外部下方に露出する。
【００９１】
さらに、駆動力伝達機構収納室２０５２ｍ2の側壁には吸気孔２０５２ｍ21が形成されると共に、後部筐体２０５２ａ11と前部筐体２０５２ａ12の間の隔壁には排気孔２０５２ｍ11が形成されている。これにより、モータ収納室２０５２ｍ1と後部筐体２０５２ａ11の内部とは排気孔２０５２ｍ11を介して連通している。
【００９２】
このように構成された吸込口本体２０５２に装着ユニット２０５１を図２０に示すように装着すると、吸込口本体２０５２の大ギヤ２０５２ｂ2と装着ユニット２０５１の回転ブラシギヤ２０５１ｂ3とが噛合する。これにより、モータＭの駆動力は、小ギヤ２０５２ｂ1、大ギヤ２０５２ｂ2および回転ブラシギヤ２０５１ｂ3を介して回転ブラシ部２０５１ｂ2に伝達され、それによって回転ブラシ部２０５１ｂ2が回転する。この場合、駆動ギアとしての小ギヤ２０５２ｂ1が大ギヤ２０５２ｂ2を介して回転ブラシギヤ２０５１ｂ3と噛合するように構成されている。
【００９３】
実施形態３の吸込口体２００５によれば、掃除機本体が駆動して吸引することにより、回転ブラシ部２０５１ｂ2が回転しながら集塵開口部２０５１ｘから塵埃を含む空気が吸引される。このとき、吸込口本体２０５２の吸込口２０５２ａ1に空気が流入することによりモータ収納室２０５２ｍ１内の空気が排気孔２０５２ｍ11から後部筐体２０５２ａ11内に引き込まれる。すると、モータ収納室２０５２ｍ1が負圧になるため、外部の空気が吸気孔２０５２ｍ21を通って駆動力伝達機構収納室２０５２ｍ2内に流入し、モータＭ内を通ってモータ収納室２０５２ｍ1に流入するという気流が生じる。これにより、モータＭが冷却される。
【００９４】
なお、吸込口本体２０５２と装着ユニット２０５１の分離は、装着の手順と逆に行えばよい。また、モータＭ等の電気部品は吸込口本体２０５２内に収められ、装着ユニット２０５１内に電気部品は全く収められていないため、装着ユニット２０５１を分解して各部品を水洗いすることができる。
【００９５】
また、実施形態３の吸込口本体２０５２に装着可能な寝具清掃用装着ユニットを作製することにより、共通の吸込口本体２０５２を用いて床面清掃用の吸込口体と寝具清掃用の吸込口体を低コストにて得ることができる。この場合の寝具清掃用装着ユニットは、実施形態２の叩き板１０５１ｂと駆動力伝達機構１０５１ｃの駆動原理を応用して作製することができる（図１６参照）。
【００９６】
（実施形態４：参考例２）
図２１は実施形態４における吸込口本と装着ユニットが分離した状態を示す斜視図である。
実施形態４の吸込口体３００５は、吸込口を有する吸込口本体３０５２と、この吸込口本体３０５２に装着される床面清掃用の装着ユニット３０５１とを備え、実施形態３の吸込口体２００５と構造が類似している。
【００９７】
＜装着ユニット＞
装着ユニット３０５１は、集塵開口部を有する筐体３０５１ａと、集塵開口部の位置に設けられた回転ブラシユニット３０５１ｂとを備える。
【００９８】
回転ブラシユニット３０５１ｂは、回転ブラシ部３０５１ｂ1と、回転ブラシ部３０５１ｂ1の長手方向中間位置よりも少し一端側にずれた位置に設けられた駆動力伝達機構３０５１ｂ2とを有し、回転ブラシ部３０５１ｂ2はその両端が筐体３０５１ａに取り付けられている。
【００９９】
駆動力伝達機構３０５１ｂ2は、実施形態１の駆動力伝達機構５１ｂ2と同様に、ケース部内に収納された一対のギヤ形プーリにベルトが巻き掛けられている。そして、回転ブラシ部３０５１ｂ1とは反対側のプーリはギヤ部３０５１ｂ21と一体回転可能に連結されている。
【０１００】
＜吸込口本体＞
吸込口本体３０５２は、底部に吸込口を有する筐体３０５２ａと、筐体３０５２ａに設けられたモータＭおよびモータＭの出力軸の先端に連結された駆動ギヤ３０５２ａ1とを備える。この駆動ギヤ３０５２ａ1は、吸込口本体３０５２に装着ユニット３０５１を装着することにより前記ギヤ部３０５１ｂ21と噛合する。
【０１０１】
筐体３０５２ａは、基本的に実施形態３と同様に構成されている。つまり、吸込口本体３０５２の吸込口から内部へ空気が流入することにより、実施形態３の図１７を用いて説明したようにモータ収納室内を空気が流れてモータＭが冷却されるように、筐体３０５２ａは構成されている。
【０１０２】
実施形態４の場合、吸込口本体３０５２に装着ユニット３０５１を装着した後、吸込口本体３０５２の駆動ギヤ３０５２ａ1を装着ユニット３０５１のギヤ部３０５１ｂ21へ押し付けてこれらを確実に噛合させるモータ押圧機構が筐体３０５２ａ内に設けられている。このモータ押圧機構は、例えば、モータＭの出力軸先端側を基端側に向けて弾発付勢する弾発部材と、レバー３０５２ｂを前方（矢印Ｑ方向）に押すことにより弾発部材の付勢力に抗してモータＭの出力軸基端側を先端側へ押圧する押圧部材（図示なし）とを備える。
【０１０３】
なお、吸込口本体３０５２に装着ユニット３０５１を装着した後にレバー３０５２ｂを前方（矢印Ｑ方向）に押すことによって、駆動ギヤ３０５２ａ1とギヤ部３０５１ｂ21とが噛合すると共に、吸込口本体３０５２の筐体３０５２ａの外周面に設けられた係合部と装着ユニット３０５１の筐体３０５１ａの装着凹部３０５１ａ1に設けられた係合部とが相互に係合する。
【０１０４】
なお、吸込口本体３０５２と装着ユニット３０５１の分離は、装着の手順と逆に行えばよい。また、モータＭ等の電気部品は吸込口本体３０５２内に収められ、装着ユニット３０５１内に電気部品は全く収められていないため、装着ユニット３０５１を分解して各部品を水洗いすることができる。
【０１０５】
また、実施形態４の吸込口本体３０５２に装着可能な寝具清掃用装着ユニットを作製することにより、共通の吸込口本体３０５２を用いて床面清掃用の吸込口体と寝具清掃用の吸込口体を低コストにて得ることができる。この場合の寝具清掃用装着ユニットは、実施形態２の叩き板１０５１ｂと駆動力伝達機構１０５１ｃの駆動原理を応用して作製することができる（図１６参照）。
【０１０６】
（まとめ）
本発明の電気掃除機の吸込口体は、電気部品および吸込口を有する吸込口本体と、この吸込口本体に選択的に着脱可能に装着される床面清掃用装着ユニットおよび寝具清掃用装着ユニットとを備え、
前記吸込口本体は、前記電気部品として少なくともモータを有し、
前記床面清掃用装着ユニットは、床面清掃用筐体と、この床面清掃用筐体に離脱可能かつ回転可能に装着される回転ブラシと、前記モータからの駆動力を前記回転ブラシへ伝達する床面清掃用駆動力伝達機構とを備え、
前記寝具清掃用装着ユニットは、寝具清掃用筐体と、この寝具清掃用筐体に離脱可能かつ揺動可能に装着される叩き板と、前記モータからの駆動力を前記叩き板へ伝達する寝具清掃用駆動力伝達機構とを備える。
【０１０７】
本発明の電気掃除機の吸込口体は、次のように構成されてもよく、それらが適宜組み合わされてもよい。
（１）前記吸込口本体は、前記吸込口を有する第１筐体部と、この第１筐体部と連設されて電気掃除機の掃除機本体に接続される第２筐体部とを備え、
前記第１筐体部に前記モータが設けられると共に、このモータの出力軸に駆動ギヤが取り付けられており、
前記床面清掃用駆動力伝達機構および寝具清掃用駆動力伝達機構が、前記駆動ギヤと係脱可能に噛合するギヤ部をそれぞれ有してもよい。
【０１０８】
このようにすれば、吸込口本体をＴ形に形成し、左右方向に長い第１筐体の左右方向一端側にモータおよび駆動ギヤを配置することができる。これに伴って、装着ユニットにおいて、駆動伝達機構を回動清掃部材の左右方向一端側に配置することができ、回動清掃部材全体を清掃のために機能させることができる。
また、吸込口本体側のモータと装着ユニット側の駆動力伝達機構との連結と切り離しが駆動ギヤとギヤ部にて容易に行えるため、装着ユニットの吸込口本体への装着と分離が容易となる。
【０１０９】
（２）前記床面清掃用装着ユニットおよび前記寝具清掃用装着ユニットは、前記吸込口本体をスライド可能に嵌め入れる装着凹部をそれぞれ有してもよい。
このようにすれば、吸込口本体側のモータと装着ユニット側の駆動力伝達機構との動力伝達系の連結と切り離しに有利な構造となる。
【０１１０】
（３）前記床面清掃用駆動力伝達機構が、前記モータの駆動力を前記回転ブラシに伝達するプーリおよびベルトと、これらプーリおよびベルトを収納するケースとを備え、
前記寝具清掃用駆動力伝達機構が、前記モータの駆動力を前記叩き板に伝達するプーリおよびベルトと、これらプーリおよびベルトを収納するケースとを備え、
前記２つのケースが水抜き孔をそれぞれ有してもよい。
このようにすれば、駆動力伝達機構を水洗い可能なユニットとして構成でき、しかもケース内に水が入っても水抜きすることができるため、ケース内が乾燥すれば駆動力伝達機構としての機能も損なわれることはない。
【０１１２】
なお、開示された実施の形態は、全ての点で例示であって制限的なものではないと考えられるべきである。本発明の範囲は上述の説明ではなくて特許請求の範囲によって示され、特許請求の範囲と均等の意味及び範囲内での全ての変更が含まれることが意図される。
【符号の説明】
【０１１３】
１  電気掃除機
５、１００５、２００５、３００５  吸込口体
５１、２０５１、３０５１  床面清掃用装着ユニット
５１ｂ1、２０５１ｂ2、３０５１ｂ1  回転ブラシ部（回動清掃部材）
５１ｂ2、１０５１ｃ3、２０５２ｂ、３０５１ｂ2  駆動力伝達機構
５１ｂ25、５１ｂ26、１０５１ｃ8、１０５１ｃ9、１０５１ｃ10、１０５１ｃ11  プーリ
５１ｂ221、１０５１ｃ6、１０５１ｃ7  水抜き孔
５１ｂ27、１０５１ｃ12、１０５１ｃ13  ベルト
５１ｂ28、１０５１ｃ1  ギヤ部
５１ｚ、１０５１ｚ  装着凹部
５２、２０５２、３０５２  吸込口本体
５２ａ  第１筐体部
５２ａ1、２０５２ａ1  吸込口
５２ａ2  駆動ギヤ
５２ｃ  第２筐体部
１０５１  寝具清掃用装着ユニット
１０５１ｂ  叩き板（揺動清掃部材）
２０１５ｂ3  回転ブラシギヤ（ギヤ部）
２０５２ａ、３０５２ａ  筐体
Ｍ  モータ
Ｍｓ  出力軸
【図１】
0006491836.tif 000002
【図２】
0006491836.tif 000003
【図３】
0006491836.tif 000004
【図４】
0006491836.tif 000005
【図５】
0006491836.tif 000006
【図６】
0006491836.tif 000007
【図７】
0006491836.tif 000008
【図８】
0006491836.tif 000009
【図９】
0006491836.tif 000010
【図１０】
0006491836.tif 000011
【図１１】
0006491836.tif 000012
【図１２】
0006491836.tif 000013
【図１３】
0006491836.tif 000014
【図１４】
0006491836.tif 000015
【図１５】
0006491836.tif 000016
【図１６】
0006491836.tif 000017
【図１７】
0006491836.tif 000018
【図１８】
0006491836.tif 000019
【図１９】
0006491836.tif 000020
【図２０】
0006491836.tif 000021
【図２１】
0006491836.tif 000022